(57)【要約】【課題】電池の状況に応じた報知を行うこと。【解決手段】本発明に係る携帯電話端末（携帯電子機器）１は、充電可能な電池３４と、電池３４の残量を検出する電池残量検出部３８と、電池３４が充電中であることを検出する充電検出部３６と、充電検出部３６によって電池３４が充電中であることが検出され、かつ、電池残量検出部３８によって検出される電池３４の残量が閾値を下回った場合に、充電中に電池３４の残量が閾値を下回った要因に係る情報の報知を行う制御部２２とを備える。【選択図】図２
2012114866.tif 000002
【特許請求の範囲】
【請求項１】
充電可能な電池と、
前記電池の残量を検出する電池残量検出部と、
前記電池が充電中であることを検出する充電検出部と、
前記充電検出部によって前記電池が充電中であることが検出され、かつ、前記電池残量検出部によって検出される前記電池の残量が閾値を下回った場合に、充電中に前記電池の残量が閾値を下回った要因に係る情報の報知を行う制御部と
を備えることを特徴とする携帯電子機器。
【請求項２】
前記制御部は、前記報知を行った後に、当該携帯電子機器において実行されている処理を中断させ、前記電池残量検出部によって検出される前記電池の残量が所定の値を上回った場合に当該処理を再開させることを特徴とする請求項１に記載の携帯電子機器。
【請求項３】
前記処理は通話であり、
前記制御部は、前記報知を前記通話の通話相手に対して行うことを特徴とする請求項２に記載の携帯電子機器。
【請求項４】
前記制御部は、前記通話相手に対して、音声による報知と、メッセージまたはメールの送信による報知とを併用することを特徴とする請求項３に記載の携帯電子機器。
【請求項５】
前記制御部は、前記通話を中断させた後に前記電池残量検出部によって検出される前記電池の残量が前記所定の値を上回った場合に、前記通話の通話相手との通話を再開させることを特徴とする請求項３または４に記載の携帯電子機器。
【請求項６】
前記処理はＷＥＢページの閲覧処理であり、
前記制御部は、前記閲覧処理を中断させた後に前記電池残量検出部によって検出される前記電池の残量が前記所定の値を上回った場合に、中断時に閲覧されていたＷＥＢページを再表示させることを特徴とする請求項２に記載の携帯電子機器。
【請求項７】
前記制御部は、前記電池残量検出部によって検出される前記電池の残量が前記閾値よりも高い第２の閾値を下回った場合に、当該携帯電子機器を消費電力が少ないモードへ切り替えることを特徴とする請求項１から６のいずれか１つに記載の携帯電子機器。
【請求項８】
充電可能な電池を電源とする携帯電子機器による電源監視方法であって、
前記電池の残量を検出する第１ステップと、
前記電池が充電されているときに、前記第１ステップにおいて検出された前記電池の残量が閾値を下回った場合に、充電中に前記電池の残量が閾値を下回った要因に係る情報の報知を行う第２ステップと
を含むことを特徴とする電源監視方法。
【請求項９】
充電可能な電池を電源とする携帯電子機器に、
前記電池の残量を検出する第１ステップと、
前記電池が充電されているときに、前記第１ステップにおいて検出された前記電池の残量が閾値を下回った場合に、充電中に前記電池の残量が閾値を下回った要因に係る情報の報知を行う第２ステップと
を実行させることを特徴とする電源監視プログラム。
【発明の詳細な説明】
【技術分野】
【０００１】
本発明は、携帯電子機器、電源監視方法および電源監視プログラムに関する。
【背景技術】
【０００２】
携帯電話端末等の携帯電子機器の多くは、電池によって供給される電力によって動作する。電池を電源とするこれらの携帯電子機器は、電池の残量が少なくなると、その旨を画面表示、警告ランプの点灯、音声の出力等によって利用者に報知するように構成されている（例えば、特許文献１）。
【先行技術文献】
【特許文献】
【０００３】
【特許文献１】特開２０１０−１１７８８３号公報
【発明の概要】
【発明が解決しようとする課題】
【０００４】
従来の携帯電子機器は、電池の残量が少なくなると、その旨を一律に報知する。しかしながら、電池の残量が少なくなる状況は一様ではなく、状況に応じた報知が行われないと、利用者が適切な対応をとることが難しい場合がある。例えば、携帯電話端末の場合、電波状況が悪い場所で通話をしていると充電中であっても電池の残量が少なくなる場合がある。このような場合に通常時と同様に充電を促す報知が行われると、充電中であるにもかかわらずに充電を促されることとなり、利用者は充電中に充電を促される理由を把握できず、どう対処してよいか困惑してしまう。
【０００５】
本発明は、上記に鑑みてなされたものであって、電池の状況に応じた報知を行う携帯電子機器、電源監視方法および電源監視プログラムを提供することを目的とする。
【課題を解決するための手段】
【０００６】
上述した課題を解決し、目的を達成するために、本発明は、携帯電子機器であって、充電可能な電池と、前記電池の残量を検出する電池残量検出部と、前記電池が充電中であることを検出する充電検出部と、前記充電検出部によって前記電池が充電中であることが検出され、かつ、前記電池残量検出部によって検出される前記電池の残量が閾値を下回った場合に、充電中に前記電池の残量が閾値を下回った要因に係る情報の報知を行う制御部とを備えることを特徴とする。
【０００７】
また、前記制御部は、前記報知を行った後に、当該携帯電子機器において実行されている処理を中断させ、前記電池残量検出部によって検出される前記電池の残量が所定の値を上回った場合に当該処理を再開させることが好ましい。
【０００８】
また、前記処理は通話であり、前記制御部は、前記報知を前記通話の通話相手に対して行うことが好ましい。
【０００９】
また、前記制御部は、前記通話相手に対して、音声による報知と、メッセージまたはメールの送信による報知とを併用することが好ましい。
【００１０】
また、前記制御部は、前記通話を中断させた後に前記電池残量検出部によって検出される前記電池の残量が前記所定の値を上回った場合に、前記通話の通話相手との通話を再開させることが好ましい。
【００１１】
また、前記処理はＷＥＢページの閲覧処理であり、前記制御部は、前記閲覧処理を中断させた後に前記電池残量検出部によって検出される前記電池の残量が前記所定の値を上回った場合に、中断時に閲覧されていたＷＥＢページを再表示させることが好ましい。
【００１２】
また、前記制御部は、前記電池残量検出部によって検出される前記電池の残量が前記閾値よりも高い第２の閾値を下回った場合に、当該携帯電子機器を消費電力が少ないモードへ切り替えることが好ましい。
【００１３】
また、上述した課題を解決し、目的を達成するために、本発明は、充電可能な電池を電源とする携帯電子機器による電源監視方法であって、前記電池の残量を検出する第１ステップと、前記電池が充電されているときに、前記第１ステップにおいて検出された前記電池の残量が閾値を下回った場合に、充電中に前記電池の残量が閾値を下回った要因に係る情報の報知を行う第２ステップとを含むことを特徴とする。
【００１４】
また、上述した課題を解決し、目的を達成するために、本発明は、電源監視プログラムであって、充電可能な電池を電源とする携帯電子機器に、前記電池の残量を検出する第１ステップと、前記電池が充電されているときに、前記第１ステップにおいて検出された前記電池の残量が閾値を下回った場合に、充電中に前記電池の残量が閾値を下回った要因に係る情報の報知を行う第２ステップとを実行させることを特徴とする。
【発明の効果】
【００１５】
本発明に係る携帯電子機器、電源監視方法および電源監視プログラムは、電池の状況に応じた報知を行うことができるという効果を奏する。
【図面の簡単な説明】
【００１６】
【図１】図１は、携帯電話端末の外観を示す正面図である。
【図２】図２は、携帯電話端末の機能的な構成を示すブロック図である。
【図３】図３は、遮断記録データの一例を示す図である。
【図４】図４は、電源監視処理の処理手順を示すフロー図である。
【図５】図５は、マイナス充電時の電圧の変化の一例を示す図である。
【図６】図６は、遮断記録データの他の一例を示す図である。
【発明を実施するための形態】
【００１７】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器の一例として、携帯電話端末を取り上げるが、本発明の適用対象は携帯電話端末に限定されるものではない。本発明は、例えば、ＰＨＳ（Personal  Handy-phone  System）、パソコン、携帯情報端末、ゲーム機等に対しても適用できる。
【００１８】
（実施形態）
まず、図１を参照しながら、本発明に係る携帯電子機器の一実施形態である携帯電話端末１の外観について説明する。図１は、携帯電話端末１の外観を示す正面図である。図１に示すように、携帯電話端末１は、筐体１Ｃが複数の筐体で構成される。具体的には、筐体１Ｃは、第１筐体１ＣＡと第２筐体１ＣＢとで開閉可能に構成される。すなわち、携帯電話端末１は、折り畳み式の筐体を有する。
【００１９】
なお、携帯電話端末１の筐体は、このような構造に限定されるものではない。例えば、携帯電話端末１の筐体は、両方の筐体を重ね合わせた状態から一方の筐体と他方の筐体とを互いにスライドできるようにしたスライド式の筐体であってもよい。また、重ね合わせ方向に沿う軸線を中心に、一方の筐体を回転させるようにした回転式や、２軸ヒンジを介して両方の筐体を連結したものでもよい。
【００２０】
第１筐体１ＣＡおよび第２筐体１ＣＢは、連結部であるヒンジ機構８で連結される。ヒンジ機構８で第１筐体１ＣＡと第２筐体１ＣＢとを連結することにより、第１筐体１ＣＡおよび第２筐体１ＣＢは、ヒンジ機構８を中心として、相対的に回動できる。
【００２１】
第１筐体１ＣＡには、表示部２と、通話時に音声を出力する出力手段であるレシーバ１６とが設けられる。表示部２は、待受画面や各種の機能画面を表示する。機能画面とは、携帯電話端末１が提供する通話機能、メール機能等の各種機能の実行中に表示される画面であり、対応する機能に対する指示を受け付けたり、対応する機能が提供する情報を提示したりするために用いられる。
【００２２】
第２筐体１ＣＢには、通話相手の電話番号等を入力するための操作キー１３Ａが複数設けられ、また、表示部２に表示されるメニューの選択等を実行するための方向および決定キー１３Ｂが設けられる。操作キー１３Ａと、方向および決定キー１３Ｂとは、携帯電話端末１の操作部１３を構成する。また、第２筐体１ＣＢには、携帯電話端末１の通話時に音声を受け取る音声取得手段であるマイク１５が設けられる。
【００２３】
次に、図２を参照しながら、携帯電話端末１の機能的な構成について説明する。図２は、携帯電話端末１の機能的な構成を示すブロック図である。図２に示すように、携帯電話端末１は、制御部２２と、記憶部２４と、通信部２６と、操作部１３と、音声処理部３０と、表示部２と、電池３４と、充電検出部３６と、電池残量検出部３８とを有する。
【００２４】
記憶部２４は、各種情報を記憶する記憶装置である。記憶部２４は、携帯電話端末１内に固定的に設けられたフラッシュメモリ等の半導体に情報を記憶させるものであってもよいし、メモリカード等の取り出し可能な記憶媒体と、記憶媒体の読み書き装置との組み合わせとして構成されていてもよい。
【００２５】
記憶部２４には、制御部２２での処理に利用されるデータやプログラムが記憶される。記憶部２４に記憶されるプログラムには、メールプログラム２４ａと、ブラウザプログラム２４ｂと、電源監視プログラム２４ｃとが含まれる。また、記憶部２４に記憶されるデータには、アドレス帳データ２４ｄと、遮断記録データ２４ｅとが含まれる。
【００２６】
メールプログラム２４ａは、メールの送信、受信、編集、閲覧等の機能を実現するためのプログラムである。ブラウザプログラム２４ｂは、ＷＥＢページの閲覧機能を実現するためのプログラムである。電源監視プログラム２４ｃは、電池３４の状況を監視し、電池３４の状況に応じて各種処理を行う電源監視機能を実現するためのプログラムである。なお、電源監視プログラム２４ｃによって実現される電源監視機能の詳細については後述する。
【００２７】
アドレス帳データ２４ｄは、通信相手の電話番号やメールアドレス等が登録されたデータである。遮断記録データ２４ｅは、電源監視プログラム２４ｃによって実現される機能によって通話が遮断された場合に、遮断された通話に関する情報が記録されるデータである。図３に遮断記録データ２４ｅの一例を示す。図３に示すように、遮断記録データ２４ｅは、通話が遮断された日時や、遮断された通話における通話相手の電話番号等が格納される。
【００２８】
通信部２６は、アンテナ２６ａを有し、基地局によって割り当てられるチャネルを介し、基地局との間でＣＤＭＡ方式等による無線信号回線を確立し、基地局との間で電話通信および情報通信を行う。操作部１３は、操作キー１３Ａと、方向および決定キー１３Ｂとを含み、これらのキーやボタンが利用者によって操作されると、その操作内容に対応する信号を発生させる。そして、発生した信号は、利用者の指示として制御部２２へ入力される。
【００２９】
音声処理部３０は、マイク１５に入力される音声信号やレシーバ１６から出力される音声信号の処理を実行する。表示部２は、液晶ディスプレイ（ＬＣＤ、Liquid Crystal Display）や、有機ＥＬ（Organic Electro-Luminescence）パネル等で構成された表示パネルを備え、制御部２２の制御に基づいて待受画面や各種の機能画面等を表示パネルに表示させる。
【００３０】
電池３４は、充電式の電池であり、携帯電話端末１の各部に電力を供給する。なお、電池３４の充電は、例えば、携帯電話端末１に接続した電源ケーブルの一端をコンセントに接続して行ってもよいし、携帯式の充電器を用いて行ってもよいし、ワイヤレス充電技術を利用して行ってもよい。
【００３１】
充電検出部３６は、電池３４が充電中であることを検出する。電池３４が充電中であることは、例えば、電池３４へ供給される電力の有無に基づいて検出される。電池残量検出部３８は、電池３４の残量を検出する。電池３４の残量は、電池３４の電圧に基づいて検出される。
【００３２】
制御部２２は、携帯電話端末１の全体的な動作を統括的に制御する。すなわち、制御部２２は、携帯電話端末１の各種の処理が、操作部１３の操作や携帯電話端末１の記憶部２４に記憶されるソフトウェアに応じて適切な手順で実行されるように、通信部２６や、音声処理部３０や、表示部２等の動作を制御する。
【００３３】
制御部２２は、記憶部２４に記憶されているコンピュータプログラム（例えば、オペレーティングシステムプログラム、アプリケーションプログラム等）に基づいて処理を実行する。制御部２２は、例えば、マイクロプロセッサユニット（ＭＰＵ：Micro  Processing  Unit）で構成され、コンピュータプログラムに定義された手順に従って携帯電話端末１の各種の処理を実行する。すなわち、制御部２２は、記憶部２４に記憶されるコンピュータプログラムから命令列を順次読み込んで処理を実行する。
【００３４】
制御部２２は、携帯電話端末１の制御の一部として、電源監視プログラム２４ｃに含まれる命令列を順次読み込み、実行することにより、後述するような電源監視機能を実現させる。
【００３５】
次に、図４を参照しながら、携帯電話端末１の電源監視機能について説明する。図４は、電源監視機能による電源監視処理の処理手順を示すフロー図である。図４に示す電源監視処理は、制御部２２によって定期的に実行される。
【００３６】
図４に示すように、制御部２２は、まず、ステップＳ１１として、電池残量検出部３８から電池３４の電圧を取得する。そして、制御部２２は、ステップＳ１２として、取得した電圧が異常値、すなわち、正常な範囲外の値であるかを判定する。取得した電圧が異常値である場合（ステップＳ１２，Ｙｅｓ）、制御部２２は、ステップＳ１３として、電池３４が不良である旨を利用者に報知し、電源監視処理を終了させる。
【００３７】
利用者への報知は、例えば、表示部２にメッセージや絵文字を表示することによって行ってもよいし、警告ランプを点灯することによって行ってもよいし、音声を出力することによって行ってもよい。
【００３８】
取得した電圧が異常値でない場合（ステップＳ１２，Ｎｏ）、制御部２２は、ステップＳ１４として、取得した電圧が閾値Ａ以下であるかを判定する。閾値Ａは、例えば、携帯電話端末１が現状のままで５分程度稼働できる残量があるときの電池３４の電圧である。閾値Ａは、予め設定された値であってもよいし、以前に取得した電圧の移動平均等に基づいて算出された値であってもよい。
【００３９】
取得した電圧が閾値Ａ以下である場合（ステップＳ１４，Ｙｅｓ）、制御部２２は、ステップＳ１５として、携帯電話端末１を節電モードに設定する。節電モードとは、例えば、表示部２の明るさを落としたり、制御部２２の動作速度を低下させたりして、携帯電話端末１の消費電力を削減するモードである。
【００４０】
続いて、制御部２２は、ステップＳ１６として、取得した電圧が閾値Ｂ以下であるかを判定する。閾値Ｂは、例えば、携帯電話端末１が現状のままで２分程度稼働できる残量があるときの電池３４の電圧である。閾値Ｂは、予め設定された値であってもよいし、以前に取得した電圧の移動平均等に基づいて算出された値であってもよい。取得した電圧が閾値Ｂよりも大きい場合（ステップＳ１６，Ｎｏ）、制御部２２は、電源監視処理を終了させる。
【００４１】
取得した電圧が閾値Ｂ以下である場合（ステップＳ１６，Ｙｅｓ）、制御部２２は、ステップＳ１７として、携帯電話端末１が通話中であるかを判定する。携帯電話端末１が通話中でない場合（ステップＳ１７，Ｎｏ）、制御部２２は、ステップＳ１８として、電池３４が残量不足である旨を利用者に報知し、電源監視処理を終了させる。
【００４２】
携帯電話端末１が通話中である場合（ステップＳ１７，Ｙｅｓ）、制御部２２は、ステップＳ１９として、充電検出部３６の検出結果に基づいて、電池３４が充電中であるか否かを判定する。電池３４が充電中でない場合（ステップＳ１９，Ｎｏ）、制御部２２は、ステップＳ２０として、電池３４が残量不足である旨を利用者に報知する。さらに、制御部２２は、ステップＳ２１として、電池３４が残量不足である旨を通話相手にも報知する。
【００４３】
通話相手への報知は、例えば、音声を通話回線を通じて送信することによって行ってもよいし、ショートメッセージ等のメッセージを通話相手の端末へ送信することによって行ってもよい。また、通話相手の電話番号に基づいてアドレス帳データ２４ｄから通話相手のメールアドレスを取得し、取得されたメールアドレス宛に電子メールを送信することによって行ってもよい。また、音声による報知とメッセージまたはメールによる報知とを併用してもよい。これらを併用することにより、音声によって通話相手に対してその場で報知しつつ、通話相手が聞き漏らした場合に備えることができる。
【００４４】
なお、通話相手への報知を常に行うのではなく、通話相手への報知を行うかを表示部２への問い合わせ画面の表示等によって利用者に問い合わせ、利用者の合意が得られた場合にのみ通話相手への報知を実行することとしてもよい。
【００４５】
報知の完了後、制御部２２は、ステップＳ２５として、通話を遮断し、ステップＳ２６として、遮断した通話の通話相手の電話番号等を含む遮断記録を作成して遮断記録データ２４ｅとして記憶部２４に記憶させる。そして、制御部２２は、電源監視処理を終了させる。
【００４６】
このように、制御部２２は、通話中に電池３４の電圧が閾値Ｂ以下となり、かつ、充電が行われていない場合は、利用者および通話相手に残量不足を報知し、その後、通話を遮断する。通話相手にも報知することにより、通話相手は何が原因で通話が遮断されたかを知ることができ、すぐに電話をかけ直しても相手の端末が残量不足であるために通話することができないであろうことを把握することができる。
【００４７】
なお、閾値Ｂの例として、携帯電話端末１が現状のままで２分程度稼働できる残量があるときの電池３４の電圧を挙げたが、これは、通話の遮断後に利用者が携帯電話端末１をしばらく操作できる期間を設けるためである。通話の遮断後に利用者が携帯電話端末１を操作する必要がある期間の長さに応じて、閾値Ｂの値を適宜調整してよい。
【００４８】
電池３４が充電中である場合（ステップＳ１９，Ｙｅｓ）、制御部２２は、ステップＳ２２として、マイナス充電が発生しているかを判定する。マイナス充電とは、図５に示すように、充電中であるにもかかわらず、電池の残量が減少する現象をいう。マイナス充電は、例えば、電波状況が悪いために電波を高出力で送信しなければならない場合に起こる。マイナス充電が発生しているか否かは、例えば、過去数回に取得した電池３４の電圧が連続して減少する減少傾向にあるか否かによって判定される。
【００４９】
マイナス充電が発生していない場合（ステップＳ２２，Ｎｏ）、充電によって電池３４の残量は増加するはずであるので、制御部２２は、通話を遮断することなく、電源監視処理を終了させる。
【００５０】
マイナス充電が発生している場合（ステップＳ２２，Ｙｅｓ）、制御部２２は、ステップＳ２３として、電波状況が悪いためにマイナス充電が発生している旨を利用者に報知する。さらに、制御部２２は、ステップＳ２４として、電波状況が悪いためにマイナス充電が発生している旨を通話相手にも報知する。報知の完了後、制御部２２は、ステップＳ２５として、通話を遮断し、ステップＳ２６として、遮断した通話の通話相手の電話番号等を含む遮断記録を作成して遮断記録データ２４ｅとして記憶部２４に記憶させる。そして、制御部２２は、電源監視処理を終了させる。
【００５１】
このように、制御部２２は、マイナス充電が発生している場合、その要因に係る情報を利用者および通話相手に報知し、その後、通話を遮断する。これにより、利用者は電波状況が悪いために充電がうまくされていないことを知ることができ、電波状況がよい場所へ移動する等の対策をとることができる。また、通話相手は、携帯電話端末１の利用者が対策をとることによって通話が再開される可能性があることを把握することができる。
【００５２】
ステップＳ１４での判定の結果、取得した電圧が閾値Ａより大きかった場合（ステップＳ１４，Ｎｏ）、制御部２２は、ステップＳ２７として、携帯電話端末１を通常モードに設定する。通常モードとは、節電モードではない通常のモードである。そして、制御部２２は、ステップＳ２８として、遮断記録データ２４ｅに遮断記録が格納されているかを判定する。遮断記録が格納されていない場合（ステップＳ２８，Ｎｏ）、制御部２２は、電源監視処理を終了させる。
【００５３】
遮断記録が格納されている場合（ステップＳ２８，Ｙｅｓ）、制御部２２は、ステップＳ２９として、遮断記録に含まれる電話番号へ発信するかを、表示部２への問い合わせ画面の表示等によって利用者に問い合わせる。利用者が、操作部１３の操作等によって、発信することを指示した場合（ステップＳ３０，Ｙｅｓ）、制御部２２は、ステップＳ３１として、遮断記録に含まれる電話番号へ発信する。そして、制御部２２は、ステップＳ３２として、遮断記録を遮断記録データ２４ｅから削除して、電源監視処理を終了させる。
【００５４】
一方、利用者が、操作部１３の操作等によって、発信しないことを指示した場合（ステップＳ３０，Ｎｏ）、制御部２２は、遮断記録に含まれる電話番号へ発信することなく、ステップＳ３２として、遮断記録を遮断記録データ２４ｅから削除する。そして、制御部２２は、電源監視処理を終了させる。
【００５５】
このように、制御部２２は、通話を遮断した後に電池３４の残量が十分に回復した場合に、遮断値の通話相手へ発信するかを利用者に問い合わせ、利用者が望む場合に通話相手への発信を実行する。このため、利用者は、遮断された通話を容易に再開させることができる。
【００５６】
なお、上述した携帯電話端末１の構成は、本発明の要旨を逸脱しない範囲で任意に変更することができる。例えば、電源監視プログラム２４ｃは、複数のモジュールに分割されていてもよいし、他のプログラムと統合されていてもよい。
【００５７】
また、上記の各実施形態では、電池３４の残量に応じて通話を遮断したり、通話を再開させたりする例を示したが、データ通信、動画や音楽の再生、ゲームの実行等についても同様の処理を行うことができる。例えば、ＷＥＢページの閲覧中に電池の残量不足やマイナス充電が発生した場合、制御部２２が、ブラウザを閉じる等してＷＥＢ閲覧を中止させる。この際、図６に示すように、閲覧中だったＷＥＢページのＵＲＬ（Uniform Resource Locator）等の識別情報を含む遮断記録が遮断記録データ２４ｅに格納される。そして、制御部２２は、電池３４の残量が十分に回復した後に、ブラウザを起動させ、遮断記録に含まれる識別情報に対応するＷＥＢページを表示部２に表示させる。
【００５８】
また、上記の実施例では、充電中であるにもかかわらず電池の残量が減少する、すなわち、マイナス充電が起こる要因として、電波状況が悪い状態で通話やＷＥＢアクセスを行うことを挙げて説明を行っているが、本発明はこれに限定されない。例えば、電池自体に何らかの異常が生じているために充電中でも電池の残量が減少する場合に、電池の異常に係る情報を報知する構成でもよい。
【産業上の利用可能性】
【００５９】
以上のように、本発明に係る携帯電子機器、電源監視方法および電源監視プログラムは、電池の状況に応じた報知を行うことが必要な場合に適している。
【符号の説明】
【００６０】
１  携帯電話端末
２  表示部
１３  操作部
１５  マイク
１６  レシーバ
２２  制御部
２４  記憶部
２４ａ  メールプログラム
２４ｂ  ブラウザプログラム
２４ｃ  電源監視プログラム
２４ｄ  アドレス帳データ
２４ｅ  遮断記録データ
２６  通信部
３０  音声処理部
３４  電池
３６  充電検出部
３８  電池残量検出部
【図１】
2012114866.tif 000003
【図２】
2012114866.tif 000004
【図３】
2012114866.tif 000005
【図４】
2012114866.tif 000006
【図５】
2012114866.tif 000007
【図６】
2012114866.tif 000008